(57)【要約】【課題】  骨盤上部に集中的に牽引力が掛かるようにすることで、胸椎等の他の部位に負担を掛けず、腰椎のみを無理なく且つ大きく牽引することができる腰椎牽引ベルトを提供することである。【解決手段】  患者の胸郭下部から骨盤上部にかけて巻き付けられる締付ベルト２２と、この締付ベルト２２の内面に設けられ、胸郭下部の骨格に食い込む胸郭係合片２５及び前記締付ベルト２２の内面に沿って上下方向にスライドする帯体２６に取り付けられ、骨盤上部の骨格に食い込む骨盤係合片２７と、前記締付ベルト２２の上端部に連結された上部引張ベルト３１及び帯体２６に連結された下部引張ベルト３２とを備え、前記上部引張ベルト３１と下部引張ベルト３２を反対方向に相対的に引っ張ることで、前記骨盤係合片２７を押し下げて患者の腰椎を伸ばすようにした。【選択図】      図１
2005124612.tif 000002
【特許請求の範囲】
【請求項１】
患者の胸郭下部から骨盤上部にかけて巻き付けられる締付ベルトと、
この締付ベルトの内面に設けられ、胸郭下部の骨格に食い込む胸郭係合片及び骨盤上部の骨格に食い込む骨盤係合片と、
前記締付ベルトの上下端部にそれぞれ連結された一対の引張ベルトとを備え、
前記引張ベルトを反対方向に相対的に引っ張ることで、前記骨盤係合片を押し下げ、患者の腰椎を伸ばすことを特徴とする腰椎牽引ベルト。
【請求項２】
前記骨盤係合片は、締付ベルトの内面に沿って上下方向にスライドする帯体に取り付けられている請求項１記載の腰椎牽引ベルト。
【請求項３】
前記帯体は、前記締付ベルトに設けられたスライド孔にガイドされる請求項２記載の腰椎牽引ベルト。
【請求項４】
患者の胸郭下部を中心に巻き付けられ、胸郭下部の骨格に食い込む胸郭係合片を設けた胸郭締付ベルトと、
骨盤上部を中心に巻き付けられ、骨盤上部の骨格に食い込む骨盤係合片を設けた骨盤締付ベルトと、
前記胸郭締付ベルトの上端部及び骨盤締付ベルトの下端部にそれぞれ連結された引張ベルトとを備え、
前記引張ベルトを反対方向に相対的に引っ張ることで、前記骨盤係合片を押し下げ、患者の腰椎を伸ばすことを特徴とする腰椎牽引ベルト。
【請求項５】
前記胸郭係合片及び骨盤係合片は、樹脂、発泡スチロール、ゴム部材のいずれかで形成される請求項１または４記載の腰椎牽引ベルト。
【発明の詳細な説明】
【技術分野】
【０００１】
本発明は、腰痛を患っている患者の骨盤部を牽引する際に使用される腰椎牽引ベルトに関するものである。
【背景技術】
【０００２】
椎間板ヘルニア、ぎっくり腰等の急性あるいは慢性的な腰痛には、その症状を緩和させる目的で牽引療法が行われている。従来、この牽引療法を行うために、図８に示すような腰部に巻き付ける締付ベルト１を備えた腰椎牽引装置２が使用されている。患者Ｐは、前記締付ベルト１をしっかり腰部に巻き付けた状態でベッド４の上に仰向けで横たわり、ベッド４に固定されている支柱をつかんで静止する。次に、クッション５等を敷いてひざを立てた状態で、前記締付ベルト１から延びる引張ベルト６の一端を図示しない牽引操作部から延びる支持棒７に連結する。そして、前記牽引操作部を操作して連続的あるいは間欠的に支持棒７を引っ張ることで、患者Ｐの腰椎部を伸ばして症状を緩和させることができる。
【０００３】
また、比較的軽度の腰痛患者であれば、上記腰椎牽引装置２のようなベッドに横になって使用するものではなく、立ったまま装着可能な簡易型の腰椎牽引装具（特許文献１参照）を使用することもできる。
【特許文献１】特開２００１−４６４１３号公報
【発明の開示】
【発明が解決しようとする課題】
【０００４】
しかしながら、上記従来の締付ベルト１にあっては、内面が平坦であるため、前記引張ベルト６によって牽引した際に、骨盤部からずれないようにきつく巻き付けなければならない。また、前記締付ベルト１の巻き方によっては、骨盤部と共に胸椎部までも引っ張られてしまうため、患者に痛みを伴うと共に、効率よく腰椎のみを伸ばすことができないといった問題があった。
【０００５】
そこで、本発明の目的は、骨盤上部に集中的に牽引力が掛かるようにすることで、胸椎等の他の部位に負担を掛けず、腰椎のみを無理なく且つ大きく牽引することができる腰椎牽引ベルトを提供することである。
【課題を解決するための手段】
【０００６】
上記課題を解決するために、本発明の請求項１に係る腰椎牽引ベルトは、患者の胸郭下部から骨盤上部にかけて巻き付けられる締付ベルトと、この締付ベルトの内面に設けられ、胸郭下部の骨格に食い込む胸郭係合片及び骨盤上部の骨格に食い込む骨盤係合片と、前記締付ベルトの上下端部にそれぞれ連結された一対の引張ベルトとを備え、前記引張ベルトを反対方向に相対的に引っ張ることで、前記骨盤係合片を押し下げ、患者の腰椎を伸ばすことを特徴とする。
【０００７】
この発明によれば、患者の腰部に巻き付けられる締付ベルトに、胸郭下部の骨格に食い込む胸郭係合片及び骨盤上部の骨格に食い込む骨盤係合片が形成されているので、患者が締付ベルトを装着した時点で牽引される箇所がしっかり係合固定される。このため、前記締付ベルトの上下端部に連結された一対の引張ベルトを反対方向に引っ張る際に、前記胸郭係合片が食い込む胸郭下部及び骨盤係合片が食い込む骨盤上部からずれたり外れたりすることなく確実且つ効率よく腰椎を伸ばすことができる。
【０００８】
また、前記骨盤係合片を締付ベルトの内面に沿って上下方向にスライドする帯体に取り付けることによって、胸郭部に負担を掛けることなく骨盤部のみを牽引することができる。これによって、腰椎を無理なく、且つ大きく伸ばすことができる。
【０００９】
また、前記帯体が締付ベルトに設けたスライド孔にガイドされるため、牽引が滑らかに行われると共に、牽引量が規制される。これによって、患者は、痛みを伴うことなく安全に牽引治療を受けることができる。
【００１０】
また、本発明の請求項４に係る腰椎牽引ベルトは、患者の胸郭下部を中心に巻き付けられ、胸郭下部の骨格に食い込む胸郭係合片を設けた胸郭締付ベルトと、骨盤上部を中心に巻き付けられ、骨盤上部の骨格に食い込む骨盤係合片を設けた骨盤締付ベルトと、前記胸郭締付ベルトの上端部及び骨盤締付ベルトの下端部にそれぞれ連結された引張ベルトとを備え、前記引張ベルトを反対方向に相対的に引っ張ることで、前記骨盤係合片を押し下げ、患者の腰椎を伸ばすことを特徴とする。
【００１１】
この発明によれば、胸郭下部の骨格に食い込む胸郭係合片を設けた胸郭締付ベルトと、骨盤上部の骨格に食い込む骨盤係合片を設けた骨盤締付ベルトとが別体で構成されているため、骨盤部の牽引につれて胸椎部が一緒に移動するのを抑えることができる。このため、腰椎部のみを効率よく伸ばすことができる。
【００１２】
また、前記胸郭係合片及び骨盤係合片が樹脂、発泡スチロール、ゴム部材等の柔軟な部材で形成されているため、締付ベルトを装着した際や、引張ベルトによって牽引される際に痛みや違和感を軽減させることができる。このことから、患者に負担をかけることなく、長時間の牽引や負荷の大きな牽引が可能である。
【発明の効果】
【００１３】
本発明の腰椎牽引ベルトは、前述したように、胸椎部に負担を掛けずに腰椎部のみを効率よく伸ばすことができると共に、従来の腰椎牽引装置で使用されている腰椎牽引ベルトからの置き換えが可能である。
【発明を実施するための最良の形態】
【００１４】
以下、添付図面に基づいて本発明の腰椎牽引ベルトの実施形態を詳細に説明する。図１は、本発明の第１実施形態の腰椎牽引ベルトを装着側からみたときの斜視図、図２は、前記腰椎牽引ベルトを外側からみた図、図３は前記腰椎牽引ベルトを装着した状態を側面からみた図、図４は前記腰椎牽引ベルトを装着した状態を示す説明図、図５は牽引したときの状態を示す説明図である。
【００１５】
図１乃至図３に示すように、本発明の第１実施形態の腰椎牽引ベルト２１は、患者Ｐの腹部に巻き付けられる長方形状の締付ベルト２２に肋骨の下部に引っ掛けて固定する胸郭締付部２３と、骨盤の上部に引っ掛けて固定する骨盤締付部２４と、前記締付ベルト２２を胴部に沿って締め付けて固定するための留具２８ａ，２８ｂと、前記締付ベルト２２をベッド等に固定するための上部引張ベルト３１と、牽引する方向に向けて延びる下部引張ベルト３２とを備えている。前記締付ベルト２２は、引っ張りに対する強度を備えると共に、患者Ｐの体に巻き付けられやすいような柔軟性のある革部材でできており、そのサイズは、腹部に巻き付けたときに肋骨の下部から骨盤の上部までを覆う幅で、胴部を一周するか、少なくとも前半分を覆うような長さに形成される。また、前記締付ベルト２２にはスライド孔３０が患者Ｐの長軸方向に二箇所平行して設けられ、後述する帯体が摺動できるようになっている。
【００１６】
前記胸郭締付部２３は、図４に示すように、左右の肋骨Ｐ１１の下部に皮膚の上から押圧して食い込ませる一対の胸郭係合片２５を備え、前記締付ベルト２２に固着される。一方の骨盤締付部２４は、前記締付ベルト２２の内面に沿って移動する帯体２６と、この帯帯２６に固定され、左右の骨盤Ｐ１２の上部に皮膚の上から押圧して食い込ませる一対の骨盤係合片２７とを備えている。前記帯体２６は、締付ベルト２２の裏面に重ね合わされ、スライド孔３０を通した留具３３を介して取り付けられる。また、前記留具３３には下部引張ベルト３２の一端が取り付けられる。これによって、前記帯体２６は、一対の下部引引張ベルト３２によって、締付ベルト２２の内面に接触しながらスライド孔３０内を摺動可能になっている。前記スライド孔３０は、患者Ｐの長軸方向に沿って２箇所平行に設けられ、患者Ｐの身長や体型に応じて調整できると共に、牽引可能な最大長さとなるように設定される。なお、前記一対の下部引張ベルト３２は、支持棒３４の両端部に結び付けられ、図示しない牽引操作部によって下方に一定の力で牽引される。
【００１７】
前記胸郭係合片２５及び骨盤係合片２７は、肋骨Ｐ１１，骨盤Ｐ１２の曲面に沿うように、段部が形成される。また、患者Ｐの皮膚の上から肋骨部や骨盤部に食い込ませて固定するため、前記肋骨Ｐ１１や骨盤Ｐ１２に沿って無理なく変形し、長時間押し当てた状態でも痛みがないような軟質性の部材が用いられる。このような部材としては、樹脂、発泡スチロール、ゴム等を使用するのが好ましい。
【００１８】
前記腰椎牽引ベルト２１は、締付ベルト２２を広げた状態で患者Ｐの腹部の上に被せ、両端部を背中の方に回し込んで留具２８ａ，２８ｂで締め付ける。その際、胸郭係合片２５が左右の肋骨Ｐ１１の下部に食い込むように、また、骨盤係合片２７が左右の骨盤Ｐ１２の上部に食い込むように位置を調整する。次に、患者Ｐは上部引張ベルト３１をベッドの枕元の支柱に掛けて固定し、前記締付ベルト２１を装着した状態でベッドに横たわる。そして、下部引張ベルト３２を負荷側の装置に結んで反対方向に相対的に引っ張ることで骨盤が骨盤係合片２７によって押し下げられる。
【００１９】
図５に示すように、前記下部引張ベルト３２に掛かる負荷によって、帯体２６は、締付ベルト２２に開設されているスライド孔３０に沿ってスライドし、骨盤係合片２７に引っ掛けられた左右の骨盤Ｐ１２が押し下げられる。一方、胸郭係合片２５は締付ベルト２２に固定されているため、前記帯体２６を牽引する量に応じた力は掛かるものの肋骨Ｐ１１の位置は変わらない。このように、前記骨盤Ｐ１２を中心とした牽引操作が効率よく行われる結果、胸椎部に大きな負担を掛けずに腰椎（Ｐ１３ａ〜Ｐ１３ｅ）が伸びると共に、椎間板（Ｐ１４ａ〜Ｐ１４ｅ）も効率よく伸ばすことができる。このような実施形態の腰椎牽引ベルト２１によれば、胸椎に負担を掛けることなく、腰椎部を図４に示した装着時の位置Ｍ１から図５に示されるような位置Ｍ２にまで全体として最大で約１０ｃｍ程度引き伸ばすことができるので、椎間板ヘルニア等の治療に最適である。
【００２０】
なお、前記帯体２６によるスライド動作は、締付ベルト２２との摩擦抵抗によって牽引する負荷の調整と、締付ベルト２２に設けたスライド孔３０のサイズによる牽引距離の調整が可能となる。
【００２１】
図６及び図７は、第２実施形態の腰椎牽引ベルトを示したものである。この腰椎牽引ベルト４１は、胸椎部に巻き付けられる胸郭締付ベルト４２ａと、骨盤部に巻き付けられる骨盤締付ベルト４２ｂとで構成される。前記胸郭締付ベルト４２ａ及び骨盤締付ベルト４２ｂは共に長方形状の一枚の革部材でできており、そのサイズは、肋骨Ｐ１１の下部及び骨盤Ｐ１２の上部が中心となるような幅で、肋骨部及び骨盤部に対して少なくとも前半分を覆うような長さに形成される。また、前記胸郭締付ベルト４２ａには、肋骨Ｐ１１の下部に食い込む胸郭係合片４５が設けられ、骨盤締付ベルト４２ｂには骨盤Ｐ１２の上部に食い込む骨盤係合片４７が設けられている。
【００２２】
この第２実施形態の腰椎牽引ベルト４１を使用する場合は、胸郭締付ベルト４２ａから伸びる上部引張ベルト５１をベッドの枕元の支柱に固定するか、患者の肩に掛けておき、骨盤締付ベルト４２ｂから伸びる下部引張ベルト５２を負荷のある図示しない牽引操作部に繋ぐことによって、胸椎部とは別に骨盤部のみを下方に牽引させることができる。これによって、上記第１実施形態の腰椎牽引ベルト２１と同様に腰椎を効果的に伸ばすことができる。
【図面の簡単な説明】
【００２３】
【図１】本発明の第１実施形態の腰椎牽引ベルトを装着側からみた斜視図である。
【図２】上記腰椎牽引ベルトを外側からみた平面図である。
【図３】上記腰椎牽引ベルトを患者に装着した状態の断面図である。
【図４】上記腰椎牽引ベルトの装着状態を示す説明図である。
【図５】上記腰椎牽引ベルトによる牽引状態を示す説明図である。
【図６】本発明の第２実施形態の腰椎牽引ベルトの斜視図である。
【図７】上記第２実施形態の腰椎牽引ベルトの装着状態を示す説明図である。
【図８】従来の腰椎牽引ベルトを用いた治療形態を示す説明図である。
【符号の説明】
【００２４】
２１  腰椎牽引ベルト
２２  締付ベルト
２３  胸郭締付部
２４  骨盤締付部
２５  胸郭係合片
２６  帯体
２７  骨盤係合片
２８  留具
３０  スライド孔
３１  上部引張ベルト
３２  下部引張ベルト
【図１】
2005124612.tif 000003
【図２】
2005124612.tif 000004
【図３】
2005124612.tif 000005
【図４】
2005124612.tif 000006
【図５】
2005124612.tif 000007
【図６】
2005124612.tif 000008
【図７】
2005124612.tif 000009
【図８】
2005124612.tif 000010